(57)【要約】      （修正有）【課題】タイトフレーム嵌合式でありながら、吊子固定式に匹敵する折板屋根材の位置ズレ防止性能を有する簡易構造のタイトフレームを提供する。【解決手段】フレーム本体１の下部に、取付部16に取付するための脚部２を設け、このフレーム本体１の上部に、折板屋根材10を取付するための屋根材取付部３を設け、この屋根材取付部３は、外方に向けて係止受部５を突設した構成として、この係止受部５に折板屋根材10の傾斜部11の内面に形成された係止部12が引っ掛かり係止し得るように構成し、この係止受部５に係止部12が引っ掛かり係止した際に、折板屋根材10の一側端部に設けられた下ハゼ部13と他側端部に設けられた上ハゼ部14とを被嵌可能なハゼ受部６を、前記屋根材取付部３の上部に立設状態に設ける。【選択図】図４
2014040720.tif 000002
【特許請求の範囲】
【請求項１】
折板構造屋根の施工に用いるタイトフレームであって、取付部に対して取付する脚部を備えたフレーム本体の上部に、折板屋根材を取付するための屋根材取付部を設けたタイトフレームにおいて、前記屋根材取付部は、前記フレーム本体に対し左右外側に向けて係止受部を突設した構成として、この屋根材取付部に上方から折板屋根材を被嵌した際に、この係止受部に折板屋根材の傾斜部の内面に形成された係止部が引っ掛かり係止するように構成し、この係止受部に係止部が引っ掛かり係止した際に、折板屋根材の一側端部に設けられた下ハゼ部と他側端部に設けられた上ハゼ部とを被嵌可能なハゼ受部を、前記屋根材取付部の上部に立設状態に設けて、このハゼ受部に、隣接接合する各折板屋根材の前記下ハゼ部と前記上ハゼ部とを被嵌して下ハゼ部と上ハゼ部とをハゼ締めすることで、ハゼ受部に下ハゼ部と上ハゼ部とを固定し得るように構成したことを特徴とするタイトフレーム。
【請求項２】
前記ハゼ受部は、前記屋根材取付部の上部中央部に立設状態に設けて、前記左右外側に向けて突設する係止受部に、隣接接合する前記各折板屋根材の係止部が引っ掛かり係止した際、前記屋根材取付部の上部中央部でハゼ締めされる各折板屋根材の前記下ハゼ部と前記上ハゼ部とを上下に重ねてこのハゼ受部に被嵌し得るように構成したことを特徴とする請求項１記載のタイトフレーム。
【請求項３】
前記屋根材取付部の上部に、板状の前記ハゼ受部を立設状態に突設したことを特徴とする請求項１，２のいずれか１項に記載のタイトフレーム。
【請求項４】
前記フレーム本体の前後に、断熱材設置用のジョイナーを接続する接続部を突設した断熱折板構造屋根に用いるタイトフレームにおいて、前記フレーム本体は、下部に前記脚部を有し上部に前記屋根材取付部を有する左右一対のフレーム半体から成り、この左右一対のフレーム半体間に、前後方向に長さを有する第一板体をその前後端部が各フレーム半体の前後から突出するように挟み込み固定して、この第一板体の前後端部を前記接続部とし、この左右一対のフレーム半体間に、上下方向に長さを有する第二板体をその上部が各フレーム半体の上部から突出するように挟み込み固定して、この第二板体の上部突出部を前記ハゼ受部としたことを特徴とする請求項１〜３のいずれか１項に記載のタイトフレーム。
【請求項５】
前記フレーム半体は、上下方向に長さを有する板材で構成し、この各フレーム半体の板面間に前記第一板体と前記第二板体と挟み込み重合固定して、前記フレーム本体に前記接続部と前記ハゼ受部を設けた構成としたことを特徴とする請求項４記載のタイトフレーム。
【発明の詳細な説明】
【技術分野】
【０００１】
本発明は、折板構造屋根の施工に用いるタイトフレームに関するものである。
【背景技術】
【０００２】
従来からタイトフレーム嵌合式と称される折板構造屋根が実施されている。
【０００３】
このタイトフレーム嵌合式の折板構造屋根を簡単に説明すると、少なくとも上部左右部に先端部を外方且つ下方に向けて突出する係止受部が設けられたタイトフレームと、この係止受部に引っ掛かり係止可能な係止部が傾斜部の内面に設けられた折板屋根材とを使用するもので、タイトフレームの上方から折板屋根材を被嵌して下方へ荷重を加えるだけで係止受部に折板屋根材の係止部を引っ掛かり係止させることができ、この際にタイトフレームの頂部上で隣接する折板屋根材の端部のハゼ部同士を重ねてハゼ締めすることにより、隣接する折板屋根材同士を接合すると共に、係止部を係止受部から係脱しないように保持して折板屋根材をタイトフレームに固定する構成としたものである（例えば、特許文献１参照。）。
【０００４】
そして、このタイトフレーム嵌合式によれば、吊子固定式のような一箇所止めでなく、タイトフレームの上部左右の少なくとも二箇所に直接的に折板屋根材を固定できるので、屋根固定強度が高く、強風による吹上力に対しても優れた耐久性を発揮し、しかも、吊子を用いることなくタイトフレームに直接に折板屋根材を固定できるため、それだけ施工性に優れるとともにコスト安な施工が行われるというメリットがある。
【先行技術文献】
【特許文献】
【０００５】
【特許文献１】特開２００９−１７４２５０号公報
【特許文献２】特開２００８−１６３５８８号公報
【発明の概要】
【発明が解決しようとする課題】
【０００６】
タイトフレーム嵌合式の折板構造屋根は、上記のようなメリットがある反面、吊子がないために吊子固定式に比べて折板屋根材のタイトフレームに対する位置ズレ（横ズレ）防止性能に劣っている。
【０００７】
このようなタイトフレーム嵌合式の欠点は、タイトフレームを固定する母屋などの屋根下地材のすぐ上に折板屋根材の谷部が配置する折板構造屋根であれば、折板屋根材が下方へ沈み込む余地がないので特に問題とはならないが、例えば、システム用タイトフレームと称されるタイトフレームを用いて断熱材を設置施工する断熱折板構造屋根のように、屋根下地材と折板屋根材の谷部（の下面）との間に断熱材を敷設するための隙間が設けられているような屋根構造（例えば、特許文献２参照。）にあっては、屋根上で作業を行う時に折板屋根材の谷部に人が載ると、前記隙間分折板屋根材が下方へ沈み込む余地があるために、折板屋根材の山部が引っ張られてタイトフレーム上部の屋根材取付部に対して位置ズレを生じてしまうおそれがあった。
【０００８】
本発明は、このようなタイトフレーム嵌合式の問題点に注目し、これを解決しようとするもので、タイトフレーム嵌合式のメリットはそのままに、吊子固定式に匹敵する折板屋根材の位置ズレ防止性能を有する簡易構造のタイトフレームを提供するものである。
【課題を解決するための手段】
【０００９】
添付図面を参照して本発明の要旨を説明する。
【００１０】
折板構造屋根の施工に用いるタイトフレームＴであって、取付部16に対して取付する脚部２を備えたフレーム本体１の上部に、折板屋根材10を取付するための屋根材取付部３を設けたタイトフレームＴにおいて、前記屋根材取付部３は、前記フレーム本体１に対し左右外側に向けて係止受部５を突設した構成として、この屋根材取付部３に上方から折板屋根材10を被嵌した際に、この係止受部５に折板屋根材10の傾斜部11の内面に形成された係止部12が引っ掛かり係止するように構成し、この係止受部５に係止部12が引っ掛かり係止した際に、折板屋根材10の一側端部に設けられた下ハゼ部13と他側端部に設けられた上ハゼ部14とを被嵌可能なハゼ受部６を、前記屋根材取付部３の上部に立設状態に設けて、このハゼ受部６に、隣接接合する各折板屋根材10の前記下ハゼ部13と前記上ハゼ部14とを被嵌して下ハゼ部13と上ハゼ部14とをハゼ締めすることで、ハゼ受部６に下ハゼ部13と上ハゼ部14とを固定し得るように構成したことを特徴とするタイトフレームに係るものである。
【００１１】
また、前記ハゼ受部６は、前記屋根材取付部３の上部中央部に立設状態に設けて、前記左右外側に向けて突設する係止受部５に、隣接接合する前記各折板屋根材10の係止部12が引っ掛かり係止した際、前記屋根材取付部３の上部中央部でハゼ締めされる各折板屋根材10の前記下ハゼ部13と前記上ハゼ部14とを上下に重ねてこのハゼ受部６に被嵌し得るように構成したことを特徴とする請求項１記載のタイトフレームに係るものである。
【００１２】
また、前記屋根材取付部３の上部に、板状の前記ハゼ受部６を立設状態に突設したことを特徴とする請求項１，２のいずれか１項に記載のタイトフレームに係るものである。
【００１３】
また、前記フレーム本体１の前後に、断熱材15設置用のジョイナー17を接続する接続部４を突設した断熱折板構造屋根に用いるタイトフレームＴにおいて、前記フレーム本体１は、下部に前記脚部２を有し上部に前記屋根材取付部３を有する左右一対のフレーム半体７から成り、この左右一対のフレーム半体７間に、前後方向に長さを有する第一板体８をその前後端部が各フレーム半体７の前後から突出するように挟み込み固定して、この第一板体８の前後端部を前記接続部４とし、この左右一対のフレーム半体７間に、上下方向に長さを有する第二板体９をその上部が各フレーム半体７の上部から突出するように挟み込み固定して、この第二板体９の上部突出部を前記ハゼ受部６としたことを特徴とする請求項１〜３のいずれか１項に記載のタイトフレームに係るものである。
【００１４】
また、前記フレーム半体７は、上下方向に長さを有する板材で構成し、この各フレーム半体７の板面間に前記第一板体８と前記第二板体９と挟み込み重合固定して、前記フレーム本体１に前記接続部４と前記ハゼ受部６を設けた構成としたことを特徴とする請求項４記載のタイトフレームに係るものである。
【発明の効果】
【００１５】
本発明は上述のように構成したから、タイトフレーム嵌合式の屋根材取付部としたために、強風による吹上力に抗する高い耐久性を発揮する断熱折板構造屋根を施工可能となり、また、吊子が不要であるから施工性に優れると共に低価格な断熱折板構造屋根を施工可能となり、しかも、折板屋根材の下ハゼ部と上ハゼ部とを、屋根材取付部の上部に設けたハゼ受部に確固にハゼ締め固定できるために、吊子固定式と同等の折板屋根材のタイトフレームに対する位置ズレ防止性能を発揮でき、施工完了後の断熱折板構造屋根に作業者が上がっても、作業者の荷重により折板屋根材が屋根材取付部に対し位置ズレして折板屋根材の下方への沈み込みを生じにくい実用性に優れたタイトフレームとなり、その上、本発明のタイトフレームは、屋根材取付部を従来までのタイトフレーム嵌合式と同等の形状に形成すると共に、この屋根材取付部の上部に既存の折板屋根材の下ハゼ部と上ハゼ部とを被嵌可能なハゼ受部を立設状態に設けるだけで構成できるため、この構成は簡易に設計実現可能であり、量産性に優れ安価な製品を提供可能となるなど、極めて実用性に優れた画期的なタイトフレームとなる。
【００１６】
また、請求項２記載の発明においては、係止受部に折板屋根材の係止部が引っ掛かり係止した際に、折板屋根材の一側端部に設けられた下ハゼ部と他側端部に設けられた上ハゼ部とが被嵌可能なハゼ受部を有する屋根材取付部を簡易に設計実現可能となる一層実用性に優れた構成のタイトフレームとなる。
【００１７】
また、請求項３記載の発明においては、前記作用・効果を確実に発揮するハゼ受部を、例えば板材により容易に設計実現可能となる一層実用性に優れた構成のタイトフレームとなる。
【００１８】
また、請求項４，５記載の発明においては、接続部とハゼ受部とを有し断熱材を設置施工可能なシステム用タイトフレームとなると共に、嵌合式でありながら折板屋根材の屋根材取付部に対する位置ズレを生じにくい実用性に優れたタイトフレームとなり、特に請求項５記載の発明によれば、接続部を構成する第一板体とハゼ受部を構成する第二板体とを挟み込み固定可能なフレーム本体（フレーム半体）を簡易に設計実現可能となる一層実用性に優れた構成のタイトフレームとなる。
【図面の簡単な説明】
【００１９】
【図１】実施例１を示す斜視図である。
【図２】実施例１の分解斜視図である。
【図３】実施例１の使用状態を示す概略説明斜視図である。
【図４】実施例１の使用状態を示す拡大正断面図である。
【図５】実施例１の使用状態を示す正断面図である。
【図６】実施例２を示す斜視図である。
【図７】実施例２を示す正断面図である。
【図８】実施例２の使用状態を示す正断面図である。
【図９】実施例２の使用状態を示す拡大正断面図である。
【発明を実施するための形態】
【００２０】
好適と考える本発明の実施形態を、図面に基づいて本発明の作用を示して簡単に説明する。
【００２１】
取付部16にフレーム本体１の脚部２を取付することによって本発明のタイトフレームＴを所定間隔を置いて複数設置し、この複数のタイトフレームＴに上方から折板屋根材10を被嵌すると、折板屋根材10の傾斜部11の内面に形成された係止部12が、フレーム本体１上部の屋根材取付部３に左右外側に向けて突設された係止受部５に引っ掛かり係止し、この際、屋根材取付部３位置で隣接接合する二枚の折板屋根材10の一側端部の下ハゼ部13と他側端部の上ハゼ部14とが屋根材取付部３の上部に立設するハゼ受部６に被嵌することになる。
【００２２】
即ち、本発明の係止受部５を有する屋根材取付部３は、タイトフレーム嵌合式を採用したものであり、折板屋根材10をタイトフレームＴに対して下方へ押圧するだけの簡易作業で折板屋根材10をタイトフレームＴに取付可能である。
【００２３】
この下ハゼ部13と上ハゼ部14とをハゼ締めすることで、ハゼ受部６に下ハゼ部13と上ハゼ部14とを固定して隣接する折板屋根材10同士を接合すると共に、係止部12が係止受部５から係脱しないようにする。
【００２４】
このようにして完成した折板構造屋根は、タイトフレームＴの左右に突設する係止受部５に対して少なくとも折板屋根材10の傾斜部11の二箇所（の係止部12）を直接的に固定できるので、固定強度が高く、強風による吹上力に対しても優れた耐久性を発揮することになる。
【００２５】
また、折板屋根材10の下ハゼ部13と上ハゼ部14とが屋根材取付部３のハゼ受部６に確固にハゼ締め固定されるために、吊子固定式と同等の折板屋根材10のタイトフレームＴに対する位置ズレ防止性能を発揮し、従来までのタイトフレーム嵌合式の欠点であった折板屋根材10のタイトフレームＴ（の屋根材取付部３）に対する位置ズレが可及的に防止されることになる。
【００２６】
従って、本発明によれば、折板屋根材10の下方に断熱材15配設用の隙間が設けられる断熱折板構造屋根を施工した場合に、施工完了後の折板構造屋根上（折板屋根材10上）に作業者が乗っても、作業者の荷重により折板屋根材10が屋根材取付部３に対し位置ズレして折板屋根材10が下方へ沈み込むような不都合を生じにくい。
【００２７】
また、本発明のタイトフレームＴは、吊子を用いずに折板屋根材10を取付可能であるから、それだけ安価に設置施工が可能で低価格な断熱折板構造屋根を実現可能となり、しかも、本発明のタイトフレームＴは、屋根材取付部３を従来までのタイトフレーム嵌合式と同等の形状に形成すると共に、この屋根材取付部３の上部に既存の折板屋根材10の下ハゼ部13と上ハゼ部14とを被嵌可能なハゼ受部６を立設状態に設けるだけで達成可能であるから、この構成は簡易に設計実現可能であり、量産性に優れ安価な製品を提供可能である。
【実施例１】
【００２８】
本発明の具体的な実施例１について図１〜図５に基づいて説明する。
【００２９】
本実施例のタイトフレームＴは、断熱材15を設置施工する断熱折板構造屋根に用いるシステム用タイトフレームＴ１に適用した場合である。
【００３０】
先ず、本実施例並びに後述する実施例２で使用する折板屋根材10を説明する。
【００３１】
折板屋根材10は、塗装鋼板や亜鉛メッキ鋼板などの金属板を折り曲げ加工して形成したものであって、図３〜図５に示すように、谷部22と、その両方の側端部から斜め上方に向かって突出する山部半体23とを備えている。即ち、谷部22の両側部に山部半体23を有する形状に形成している。
【００３２】
また、一側（図面右側）の山部半体23は、谷部22の一端から外方へ斜め上方に向かって突出する形状の傾斜部11と、この傾斜部11の上部に内方（谷部22側）に向かって段状に屈曲した後に改めて外方へ斜め上方に向かって突出する形状の係止部12と、この係止部12の上端から外方に向かって略水平に突出する形状の頂部24と、この頂部24の端部から上方に向かって突出する断面略逆Ｌ字状の下ハゼ部13とを有する形状に構成し、他側の山部半体23は、一側の山部半体23と略対称形状の傾斜部11と係止部12と頂部24とを有すると共に、頂部24の端部から上方に向かって突出する断面略逆Ｕ字状であって前記下ハゼ部13に上方から被嵌可能な上ハゼ部14を有する形状に構成している。
【００３３】
次に、本実施例のタイトフレームＴ１を説明する。
【００３４】
上下方向に長さを有するフレーム本体１の下部に、取付部16上に載置して取付固定するための脚部２を設け、このフレーム本体１の上端に、折板屋根材10を取付するための屋根材取付部３を設け、このフレーム本体１に、断熱材15設置用のジョイナー17を接続する接続部４を設けている。
【００３５】
本実施例のフレーム本体１は、図１，図２に示すように、帯状の金属板を採用した左右一対の（二枚の）フレーム半体７を左右に重合止着した二枚合わせ構造としている。
【００３６】
また、この二枚のフレーム半体７は、平断面コ字状に折曲形成して強度を高めた構成とし、更に、下端をプレス加工によりこのフレーム半体７の一側板面に対して略直角に折曲形成してこの折曲下板部を前記脚部２とし、この脚部２を取付部16（図示した取付部16は建築物の母屋などの屋根下地材16）上に載置して取付固定し得るように構成すると共に、上端をプレス加工により前記脚部２と同方向に略直角に折曲形成して、この折曲上板部を折板屋根材10の頂部24の内面（下面）を載置支承する屋根材取付部３としている。
【００３７】
また、この二枚のフレーム半体７の折曲上板部（屋根材取付部３）は、その突出先端側部を先端側程下方へカーブする形状に折曲形成して、この斜め下方へ突出する折曲上板部の突出先端部を、上方から降下させた折板屋根材10の傾斜部11の内面に形成された前記凹状係止部12が引っ掛かり係止可能な係止受部５としている。即ち、本実施例の屋根材取付部３は、タイトフレーム嵌合式に構成している。
【００３８】
そして、この二枚のフレーム半体７の他側板面同士を重合連結止着することにより、下端の左右部に前記脚部２を有し、上端の左右部に前記屋根材取付部３（係止受部５）を有するフレーム本体１を構成している。
【００３９】
また、二枚のフレーム半体７の重合連結止着構造は、各フレーム半体７の対応する上部と下部とにピン通し孔18を貫通形成し、二枚のフレーム半体７の他側板面同士を重合した上で上部のピン通し孔18同士と下部のピン通し孔18同士を連通させ、この連通する上下のピン通し孔18夫々にカシメピン19を挿通してカシメ止めすることで重合連結した止着構造としている。
【００４０】
また、この二枚のフレーム半体７の前記各屋根材取付部３は、フレーム半体７と同様に側断面コ字状に折曲形成してこの屋根材取付部３（係止受部５を含む）の強度を高めた構成としている。
【００４１】
また、二枚のフレーム半体７の下部寄り間に、このフレーム半体７より短く且つ細い金属製の帯状第一板体８を挟み込むと共に、この第一板体８をその長さ方向がフレーム半体７の長さ方向と直交する横設状態となるようにしてその中間部をフレーム半体７間に配設固定して、この第一板体８の両端部をフレーム本体１の前後方向に突出させている。そして、この第一板体８のフレーム本体１の下部寄りから前後に突設する部位を前記接続部４として、この前後の接続部４にＴ形ジョイナー17を上方から被嵌して接続し得るように構成している。
【００４２】
更に具体的には、第一板体８の中央部に、前記各フレーム半体７の下部の前記ピン通し孔18と連通させる連通孔20を貫通形成し、この連通させたピン通し孔18と連通孔20とに前記カシメピン19を挿通してカシメ止めすることにより一対のフレーム半体７の下部を重合連結すると共に、第一板体８を一対のフレーム半体７の下部寄り間に挟み込み重合固定した構成としている。
【００４３】
また、本実施例は、この屋根材取付部３に折板屋根材10を載置支承して係止受部５に係止部12が引っ掛かり係止した際に、折板屋根材10の一側端部に設けられた下ハゼ部13と他側端部に設けられた上ハゼ部14とを被嵌可能なハゼ受部６を屋根材取付部３の上部に立設状態に突設して、このハゼ受部６に、隣接接合する各折板屋根材10の前記下ハゼ部13と前記上ハゼ部14とを上下に重ねて被嵌すると共に、この重ねた下ハゼ部13と上ハゼ部14とをハゼ締めすることでハゼ受部６に下ハゼ部13と上ハゼ部14とを固定し得るように構成している。
【００４４】
また、前記ハゼ受部６は、薄板状とし、前記屋根材取付部３に左右外側に向けて突設されている前記係止受部５間の丁度中間部である屋根材取付部３の上部中央部に立設状態に突設している。
【００４５】
具体的には、前記左右一対のフレーム半体７の上部間に、このフレーム半体７の板幅と同等の板幅を有し且つ上下方向に長さを有する略長方形状の第二板体９を、その上部が各フレーム半体７の上部から上方へ突出するようにして挟み込み固定して、この第二板体９の上部突出部を前記ハゼ受部６としている。
【００４６】
更に詳しくは、第二板体９の下部中央部に、前記各フレーム半体７の上部の前記ピン通し孔18と連通させる合わせ孔21を貫通形成し、この連通させたピン通し孔18と合わせ孔21とに前記カシメピン19を挿通してカシメ止めすることにより一対のフレーム半体７の上部を重合連結すると共に、第二板体９を一対のフレーム半体７の上部間に挟み込み重合固定した構成としている。
【００４７】
次に、上述のように構成した本実施例のタイトフレームＴ１を用いた断熱折板構造屋根の施工方法を説明する。
【００４８】
先ず、複数個のタイトフレームＴ１を、取付部16としての建物の屋根下地材16（母屋など）上に、この屋根下地材16の長さ方向に所定間隔を置いて固定する。
【００４９】
次いで、各屋根下地材16に固定されたタイトフレームＴ１の前後の前記接続部４間に断面逆Ｔ字形を呈するＴ形ジョイナー17を架設状態にして接続することで、各屋根下地材16の長さ方向に間隔を置いて隣接状態にジョイナー17を配設し、隣接するこのジョイナー17間に断熱材15を敷設する。
【００５０】
次いで、隣り合うタイトフレームＴ１間に折板屋根材10の谷部22を位置させ、一方のタイトフレームＴ１の屋根材取付部３上に一側の山部半体23の下ハゼ部13を位置させ、他方のタイトフレームＴ１の屋根材取付部３上に他側の山部半体23の上ハゼ部14を位置させて、折板屋根材10を上方から降下させると、左右に突出する係止受部５が折板屋根材10の左右の傾斜部11に当接することによって左右の傾斜部11が外側へ押し広げられ、更に折板屋根材10を下方へ押動降下させると、係止受部５に係止部12が引っ掛かり係止して、折板屋根材10が二本のタイトフレームＴ１間に係止保持されることになり、この際、一方のタイトフレームＴ１のハゼ受部６に下ハゼ部13が被嵌し、他方のタイトフレームＴ１のハゼ受部６に上ハゼ部14が被嵌することになる。
【００５１】
次いで、他の折板屋根材10を上記と同様にして先に設置した折板屋根材10の隣に係止保持（設置）すると、先に設置した折板屋根材10の下ハゼ部13上に、後から設置した折板屋根材10の上ハゼ部14が被嵌配置し、この上下に重ねられてハゼ受部６に被嵌している下ハゼ部13と上ハゼ部14とをハゼ締めにより接合して、隣接する山部半体23同士を接続して折板屋根の山部を形成すると共に、各山部半体23（折板屋根材10）をハゼ受部６に確固に固定する。また、このハゼ締めにより、係止受部５に係止部12が引っ掛かり係止した状態が保持されることになり、折板屋根材10が上方へ確固な抜け止め状態で固定されることになる。
【００５２】
続いて、上記同様に折板屋根材10を順次接合していくことにより、山・谷が交互に連続する折板屋根を完成させる。
【００５３】
このようにして完成した断熱折板構造屋根は、ハゼ受部６に折板屋根材10の下ハゼ部13と上ハゼ部14とが確固にハゼ締め固定されているので、施工完了後に断熱折板構造屋根上に作業者が上がっても、作業者の荷重によって折板屋根材10が位置ズレすることがなく、これにより従来までのタイトフレーム嵌合式のように作業者の荷重によって折板屋根材が沈み込むように位置ズレすることが防止されることになる。
【実施例２】
【００５４】
本発明の具体的な実施例２について図６〜図９に基づいて説明する。
【００５５】
本実施例のタイトフレームＴは、古くなった折板屋根の葺替えや二重断熱構造の折板屋根を構築するための二重葺用タイトフレームＴ２に適用した場合である。
【００５６】
本実施例のタイトフレームＴ２は、図６，図７に示すように、金属板を正面視略コ字状に折曲形成してフレーム本体１を構成し、このフレーム本体１の両端板部を下部として、この下部左右部を取付部16に対し取付可能な脚部２とし、このフレーム本体１の上部となる中間板部に屋根材取付部３を付設した構成としている。
【００５７】
また、左右の脚部２を構成するフレーム本体１の両端板部は、平断面コ字状に折曲形成して強度を高めた構成とし、更に夫々の途中部より下側部位をハの字状に対設する形状に形成して、このハの字状に対設する部位を、取付部16に挟持する挟着部25としている。
【００５８】
また、この挟着部25は、図６，図７に示すように、左右の脚部２の下端よりやや上側位置から対向外側へ段状に屈曲した後、対向内側且つ斜め上方に向かって傾斜する形状に屈曲形成して、この屈曲形状の挟着部25で取付部16を左右から挟み込み係止し得るようにしている。
【００５９】
また、本実施例では、下段屋根施工用タイトフレーム35の屋根材取付部36（図面はタイトフレーム嵌合式を採用した場合を図示している。）に固定した折板屋根材10の山部の左右部（前記各山部半体23の前記係止部12の外側部）を取付部16とした場合を示している。即ち、二重葺用タイトフレームＴ２の左右の脚部２の挟着部25は、下ハゼ部13と上ハゼ部14をハゼ締めして隣接接合させた折板屋根10の山部を左右から締付挟持することによって取付部16に取付可能な構成としている。
【００６０】
また、この挟着部25より上方の左右の脚部２間に締付ボルト26を架設して、この締付ボルト26のボルト先端に締付ナット27を螺着し、この締付ボルト26と締付ナット27とを締付回動すると、左右の挟着部25の対向間隔が狭められ、この対向する挟着部25が折板屋根材10の山部の左右部（取付部16）に挟着して本タイトフレームＴ２が取付部16に（下段屋根上に）取付られる構成としている。
【００６１】
また、フレーム本体１の上部に付設する前記屋根材取付部３は、板材を、平面視で左右方向に長さを有する長方形状であって下部が開放する箱形体に形成し、この屋根材取付部３を、その下部開放部をフレーム本体１の上部に上方から被せるようにして配設固定している。
【００６２】
また、この屋根材取付部３の、前記フレーム本体１の上部への固定構造は、フレーム本体１の上部と屋根材取付部３との間に断熱樹脂板28を配設した上で、このフレーム本体１の上部と断熱樹脂板28と屋根材取付部３との左右部を貫通するようにして設けた各ボルト通し孔に屋根材取付部３の上方から取付ボルト29を挿通し、フレーム本体１上部から下方へ突出するこの各取付ボルト29のボルト先端に取付ナット30を螺着し、この各取付ボルト29と取付ナット30を締付回動することで、フレーム本体１の上部に屋根材取付部３を締付固定した構造としている。
【００６３】
また、屋根材取付部３の上面中央部には、下方へ凹設する平坦面部31を折曲形成し、この平坦面部31に前記各取付ボルト29のボルト頭部が収まって、このボルト頭部を邪魔にすることなく屋根材取付部３の上面部に折板屋根材10の内面を載置支承し得るように構成している。
【００６４】
また、更にこの屋根材取付部３は、上部左右部を、その左右両端が斜め下方に向かってカーブする湾曲形状に折曲形成した構成とし、この斜め下方へ突出する折曲先端部を、上方から降下させた前記折板屋根材10の傾斜部11の内面に形成された凹状係止部12が引っ掛かり係止可能な係止受部５としている。即ち、本実施例の屋根材取付部３も、タイトフレーム嵌合式に構成している。
【００６５】
また、本実施例は、この屋根材取付部３に折板屋根材10を載置支承して係止受部５に係止部12が引っ掛かり係止した際に、折板屋根材10の一側端部に設けられた下ハゼ部13と他側端部に設けられた上ハゼ部14とを被嵌可能なハゼ受部６を屋根材取付部３の上部に立設状態に突設して、このハゼ受部６に、隣接接合する各折板屋根材10の前記下ハゼ部13と前記上ハゼ部14とを上下に重ねて被嵌すると共に、この重ねた下ハゼ部13と上ハゼ部14とをハゼ締めすることでハゼ受部６に下ハゼ部13と上ハゼ部14とを固定し得るように構成している。
【００６６】
具体的には、前記屋根材取付部３の平坦面部31に載置可能な横長方形状の金属板で成る水平板部32の上面に、前記屋根材取付部３の前後幅寸法と同等の板幅を有する方形状金属板で成る垂直板部33を例えば溶接により立設状態に連設した構成のハゼ受部材34を屋根材取付部３の上部に付設している。
【００６７】
即ち、ハゼ受部材34の前記水平板部32を前記平坦面部31に載置すると、前記垂直板部33が屋根材取付部３の上部から上方へ立設突出するように構成し、この立設突出する垂直板部33を前記ハゼ受部６としている。尚、ハゼ受部材34は、一枚の板材を折曲形成して成る構成としても良い。
【００６８】
また、このハゼ受部材34の屋根材取付部３への取付構造は、前記水平板部32の左右部に前記各取付ボルト29を挿通するボルト挿通孔を貫通形成し、このボルト挿通孔を前記フレーム本体１の上部と断熱樹脂板28と屋根材取付部３との左右部を貫通するように設けた各ボルト通し孔と連通させ、この連通孔に前記取付ボルト29により締付することによって水平板部32（ハゼ受部材34）を平坦面部31（屋根材取付部３）に取付固定した構造としている。即ち、ハゼ受部材34は、屋根材取付部３，断熱樹脂板28と共にフレーム本体１に取付固定した構造としている。
【００６９】
次に、本実施例のタイトフレームＴ２を用いた二重断熱折板構造屋根の施工方法を説明する。
【００７０】
予め、建物の屋根下地材16（母屋など）上に固定した下段屋根施工用タイトフレーム35に一重目の折板屋根材10を施工して下段屋根を構築する。
【００７１】
次いで、下段屋根上に断熱材15を敷き詰めると共に、この下段屋根の複数の山部を取付部16と定め、この各山部16の上方に二重葺用タイトフレームＴ２を配し、脚部２の挟着部25を山部16に締付挟持することで、二重葺用タイトフレームＴ２を取付部16（下段屋根の山部）上に取付固定する。
【００７２】
次いで、隣り合うタイトフレームＴ２間に二重目の折板屋根材10の谷部22を位置させ、一方のタイトフレームＴ２の屋根材取付部３上に一側の山部半体23の下ハゼ部13を位置させ、他方のタイトフレームＴ２の屋根材取付部３上に他側の山部半体23の上ハゼ部14を位置させて、折板屋根材10を上方から降下させると、左右に突出する係止受部５が折板屋根材10の左右の傾斜部11に当接することによって左右の傾斜部11が外側へ押し広げられ、更に折板屋根材10を下方へ押動降下させると、係止受部５に係止部12が引っ掛かり係止して、折板屋根材10が二体のタイトフレームＴ２間に係止保持されることになり、この際、一方のタイトフレームＴ２のハゼ受部６に下ハゼ部13が被嵌し、他方のタイトフレームＴ２のハゼ受部６に上ハゼ部14が被嵌することになる。
【００７３】
次いで、他の折板屋根材10を上記と同様にして先に設置した折板屋根材10の隣に係止保持（設置）すると、先に設置した折板屋根材10の下ハゼ部13上に、後から設置した折板屋根材10の上ハゼ部14が被嵌配置し、この上下に重ねられてハゼ受部６に被嵌している下ハゼ部13と上ハゼ部14とをハゼ締めにより接合して、隣接する山部半体23同士を接続して折板屋根の山部を形成すると共に、各山部半体23（折板屋根材10）をハゼ受部６に確固に固定する。また、このハゼ締めにより、係止受部５に係止部12が引っ掛かり係止した状態が保持されることになり、折板屋根材10が上方へ確固な抜け止め状態で固定されることになる。
【００７４】
続いて、上記同様に折板屋根材10を順次接合していくことにより、山・谷が交互に連続する上段屋根を完成させる。
【００７５】
このようにして完成した断熱二重折板構造屋根は、上段屋根の折板屋根材10の下ハゼ部13と上ハゼ部14とがハゼ受部６に確固にハゼ締め固定されているので、施工完了後に上段屋根上に作業者が上がっても、作業者の荷重によって上段屋根の折板屋根材10が位置ズレすることがなく、これにより従来までのタイトフレーム嵌合式のように作業者の荷重によって折板屋根材が沈み込むように位置ズレすることが防止されることになる。
【００７６】
尚、本発明は、実施例１，２に限られるものではなく、各構成要件の具体的構成は適宜設計し得るものである。
【符号の説明】
【００７７】
１  フレーム本体
２  脚部
３  屋根材取付部
４  接続部
５  係止受部
６  ハゼ受部
７  フレーム半体
８  第一板体
９  第二板体
10  折板屋根材
11  傾斜部
12  係止部
13  下ハゼ部
14  上ハゼ部
15  断熱材
16  取付部
17  ジョイナー
Ｔ  タイトフレーム
【図１】
2014040720.tif 000003
【図２】
2014040720.tif 000004
【図３】
2014040720.tif 000005
【図４】
2014040720.tif 000006
【図５】
2014040720.tif 000007
【図６】
2014040720.tif 000008
【図７】
2014040720.tif 000009
【図８】
2014040720.tif 000010
【図９】
2014040720.tif 000011